(57)【要約】【課題】  使用状況に応じて好適に機能変更制御を実行する電子早見本装置を提供する。【解決手段】  周囲の照度を検出する照度計９４と、その照度計９４により検出される照度に応じて電子早見本装置２２の機能を変更する機能変更制御手段１０６とを、有することから、カウンタ等の店員側の使用環境とボックス（個室）等の利用者側の使用環境との間に照度の開きがあること等の環境的差異を利用して、前記電子早見本装置２２の機能変更制御を好適に実行することができる。すなわち、使用状況に応じて好適に機能変更制御を実行する電子早見本装置２２を提供することができる。【選択図】  図５
2006251705.tif 000002
【特許請求の範囲】
【請求項１】
多数の演奏曲のうちから選択される所定の演奏曲を出力させるカラオケ装置を遠隔操作するために、所定の画像を表示させると共に利用者の接触に応じて前記カラオケ装置への入力を行うタッチパネルディスプレイを備えた電子早見本装置であって、
周囲の照度を検出する照度検出装置と、
該照度検出装置により検出される照度に応じて前記電子早見本装置の機能を変更する機能変更制御手段と
を、有することを特徴する電子早見本装置。
【請求項２】
所定の閾値を基準として前記照度検出装置により検出される照度のランクを段階的に判定する照度判定手段を有し、前記機能変更制御手段は、該照度判定手段により判定される照度のランクに応じて前記電子早見本装置の機能を変更するものである請求項１の電子早見本装置。
【請求項３】
前記照度判定手段により判定される照度のランクと前記電子早見本装置の機能設定とを関連付けて記憶する記憶装置を有し、前記機能変更制御手段は、前記照度判定手段により判定される照度のランクに応じ、該記憶装置に記憶された機能設定を読み出して前記電子早見本装置の機能を変更するものである請求項２の電子早見本装置。
【請求項４】
前記機能変更制御手段は、前記照度判定手段により照度が予め定められた第１のランクと判定される場合には、前記電子早見本装置の機能を店舗側設定とし、該照度が予め定められた第２のランクと判定される場合には、前記電子早見本装置の機能を利用者側設定とするものである請求項２又は３の電子早見本装置。
【請求項５】
前記機能変更制御手段は、前記照度判定手段により照度が予め定められた第１のランクと判定される場合には、前記電子早見本装置の機能を昼間用設定とし、該照度が予め定められた第２のランクと判定される場合には、前記電子早見本装置の機能を夜間用設定とするものである請求項２又は３の電子早見本装置。
【発明の詳細な説明】
【技術分野】
【０００１】
本発明は、多数の演奏曲のうちから選択される所定の演奏曲を出力させるカラオケ装置を遠隔操作するための電子早見本装置の改良に関し、特に、その機能変更制御に関する。
【背景技術】
【０００２】
多数の演奏曲のうちから選択される所定の演奏曲を出力させる音楽再生装置が知られている。例えば、カラオケボックス等で使用されるカラオケ装置がそれである。斯かるカラオケ装置によれば、予め記憶装置に記憶された多数のカラオケ演奏曲から選択された所定のカラオケ演奏曲の音楽情報を出力させると共に、そのカラオケ演奏曲の歌詞情報を含む映像をその出力に同期して画面に表示させることで、所望の歌のカラオケ演奏を楽しむことができる。
【０００３】
斯かるカラオケ装置を遠隔操作するために、所定の映像を表示させると共に利用者の接触に応じてそのカラオケ装置への入力を行うタッチパネルディスプレイを備えた電子早見本装置が知られている。例えば、特許文献１に記載された電子目次本機能付きカラオケリモコン装置がそれである。この技術によれば、上記タッチパネルディスプレイに表示される映像を参照しつつ、利用者の指や備え付けのペン等によりそのタッチパネルディスプレイに接触（タッチ入力）することにより簡便に上記カラオケ装置への入力を行うことができる。
【０００４】
【特許文献１】特開２００３−２０２８７２号公報
【０００５】
ところで、一般的なカラオケボックス等の店舗において、前記電子早見本装置は、前記カラオケ装置の利用に際して利用者に貸与される一方、利用されない間はカウンタ等においてクレイドルに載置されて充電される。前記電子早見本装置は、前記カラオケ装置の遠隔入力装置として用いられると共に、カラオケサービス全般に関する様々な目的で利用されることが多いため、上記のような態様では、カラオケ装置の遠隔入力装置として利用者に用いられる場合と、カウンタ等に設置されて店員側で用いられる場合とで機能変更が求められることが考えられる。しかし、前記従来の電子早見本装置では、斯かる機能変更制御を好適に実行することができなかった。このため、使用状況に応じて好適に機能変更制御を実行する電子早見本装置の開発が求められていた。
【発明の開示】
【発明が解決しようとする課題】
【０００６】
本発明は、以上の事情を背景として為されたものであり、その目的とするところは、使用状況に応じて好適に機能変更制御を実行する電子早見本装置を提供することにある。
【課題を解決するための手段】
【０００７】
斯かる目的を達成するために、本発明の要旨とするところは、多数の演奏曲のうちから選択される所定の演奏曲を出力させるカラオケ装置を遠隔操作するために、所定の画像を表示させると共に利用者の接触に応じて前記カラオケ装置への入力を行うタッチパネルディスプレイを備えた電子早見本装置であって、周囲の照度を検出する照度検出装置と、その照度検出装置により検出される照度に応じて前記電子早見本装置の機能を変更する機能変更制御手段とを、有することを特徴するものである。
【発明の効果】
【０００８】
このように、本発明によれば、周囲の照度を検出する照度検出装置と、その照度検出装置により検出される照度に応じて前記電子早見本装置の機能を変更する機能変更制御手段とを、有することから、カウンタ等の店員側の使用環境とボックス（個室）等の利用者側の使用環境との間に照度の開きがあること等の環境的差異を利用して、前記電子早見本装置の機能変更制御を好適に実行することができる。すなわち、使用状況に応じて好適に機能変更制御を実行する電子早見本装置を提供することができる。
【０００９】
ここで、好適には、所定の閾値を基準として前記照度検出装置により検出される照度のランクを段階的に判定する照度判定手段を有し、前記機能変更制御手段は、その照度判定手段により判定される照度のランクに応じて前記電子早見本装置の機能を変更するものである。このようにすれば、実用的な態様で前記電子早見本装置の機能変更制御を実行することができるという利点がある。
【００１０】
また、好適には、前記照度判定手段により判定される照度のランクと前記電子早見本装置の機能設定とを関連付けて記憶する記憶装置を有し、前記機能変更制御手段は、前記照度判定手段により判定される照度のランクに応じ、その記憶装置に記憶された機能設定を読み出して前記電子早見本装置の機能を変更するものである。このようにすれば、更に実用的な態様で前記電子早見本装置の機能変更制御を実行することができるという利点がある。
【００１１】
また、好適には、前記機能変更制御手段は、前記照度判定手段により照度が予め定められた第１のランクと判定される場合には、前記電子早見本装置の機能を店舗側設定とし、その照度が予め定められた第２のランクと判定される場合には、前記電子早見本装置の機能を利用者側設定とするものである。このようにすれば、カウンタ等の店員側の使用環境とボックス等の利用者側の使用環境との間に照度の開きがあることを利用して、使用状況に合った機能を適宜設定できるという利点がある。
【００１２】
また、好適には、前記機能変更制御手段は、前記照度判定手段により照度が予め定められた第１のランクと判定される場合には、前記電子早見本装置の機能を昼間用設定とし、その照度が予め定められた第２のランクと判定される場合には、前記電子早見本装置の機能を夜間用設定とするものである。このようにすれば、ファミリー向け等の一般的な設定とすべき昼間と成人向けコンテンツを含むナイト設定とすべき夜間とで周囲の照度が異なることを利用して、使用状況に適合する機能を適宜設定できるという利点がある。
【００１３】
以下、本発明の好適な実施例を図面に基づいて詳細に説明する。
【実施例】
【００１４】
図１は、本発明が好適に適用されるカラオケシステム１０を説明する概略図である。この図１に示すように、上記カラオケシステム１０では、カラオケボックス、スナック、旅館等の店舗１２における複数の個室１４ａ、１４ｂ、１４ｃ、・・・（以下、特に区別しない場合には単に個室１４と称する）にそれぞれ１台乃至は複数台ずつ（図１では１台ずつ）のカラオケ装置１６ａ、１６ｂ、１６ｃ、・・・（以下、特に区別しない場合には単にカラオケ装置１６と称する）が設置されている。これら複数のカラオケ装置１６のうち、マスターコマンダである所定のカラオケ装置１６ａは、公衆電話回線等による通信回線１８を介してカラオケサービス提供会社のセンタ装置２０に接続されており、そのセンタ装置２０と上記カラオケ装置１６ａの相互間で情報の通信が可能とされている。このセンタ装置２０は、カラオケ情報、背景映像情報、曲間情報等のデジタルコンテンツ（Digital Contents）の保管や入出力管理の基本的な制御に加えて、後述するメッセージ受付／公開制御を行うサーバであり、上記通信回線１８を介してマスターコマンダであるカラオケ装置１６ａに定期的にコンテンツの配信を行うと共に、そのカラオケ装置１６ａからの要求に応じて所定の機能制御プログラムを送信するものである。また、上記カラオケシステム１０は、本発明の一実施例である複数の電子早見本装置２２ａ、２２ｂ、２２ｃ、・・・（以下、特に区別しない場合には単に電子早見本装置２２と称する）を備えており、上記カラオケ装置１６の利用に際して、各利用者（グループ）毎に１台ずつの電子早見本装置２２が貸与され、各個室１４において後述するように上記カラオケ装置１６の遠隔操作装置として用いられるようになっている。上記店舗１２内には上記複数のカラオケ装置１６を相互に接続するＬＡＮ２４が敷設されており、上記電子早見本装置２２からのカラオケ装置１６への入力は、所定のアクセスポイント２６及びＬＡＮ２４を介したＬＡＮ通信等により行われる。
【００１５】
図２は、上記カラオケ装置１６の構成を例示するブロック線図である。この図２に示すように、上記カラオケ装置１６は、ＣＲＴ等の映像表示装置３０と、映像情報デコーダ３２と、ビデオミキサ３４と、アンプミキサ３６と、スピーカ３８と、マイクロフォン４０と、操作パネル４２と、中央演算処理装置であるＣＰＵ４４と、ＲＯＭ４６と、ＲＡＭ４８と、記憶装置であるハードディスク５０と、モデム５２と、ＬＡＮポート５４と、ＣＲＴコントローラ５６と、上記操作パネル４２等からの入力信号を処理する入出力インターフェイス５８と、音源であるシンセサイザ６０と、上記電子早見本装置２２やリモコン装置６６等の入力装置からのリモコン信号を受信するためのリモコン受信部６２とを、備えて構成されている。
【００１６】
上記ＣＰＵ４４は、上記ＲＡＭ４８の一時記憶機能を利用しつつ上記ＲＯＭ４６に予め記憶された所定のプログラムに基づいて電子情報を処理・制御する所謂コンピュータであり、上記リモコン装置６６や電子早見本装置２２等により所定のカラオケ演奏曲が選曲された場合、その選曲されたカラオケ演奏曲を上記ＲＡＭ４８に設けられた予約曲リストに登録したり、その予約曲リストの演奏順に従って上記ハードディスク５０から上記ＲＡＭ４８に選曲されたカラオケ演奏曲の演奏情報及び歌詞情報等を読み出したり、カラオケ演奏曲の演奏が進行するのに応じてそのＲＡＭ４８から上記シンセサイザ６０へ演奏情報を送信したり、歌詞情報に基づいて歌詞文字映像を生成して上記ＣＲＴコントローラ５６へ送ったり、選曲時には曲名文字映像を生成して上記ＣＲＴコントローラ５６へ送ったり、上記映像情報デコーダ３２を制御して所定の背景映像を再生させたり、カラオケ演奏が行われていない間すなわち曲間において、新譜情報、選曲ランキング、店舗広告等の曲間情報を出力させたり、前記通信回線１８を介した前記センタ装置２０との間の情報通信制御等の基本的な制御を実行する。
【００１７】
前記操作パネル４２は、前記カラオケ装置１６の利用者が歌いたいカラオケ演奏曲を選択したり、演奏曲の音程を調整したり、演奏と歌との音量バランスを調整したり、その他、エコー、音量、トーン等の各種調整を行うための操作ボタン（スイッチ）或いはつまみを備えた入力装置である。また、前記カラオケ装置１６には、前記操作パネル４２の一部機能を遠隔で実行するための入力装置として機能するリモコン装置６６が備えられており、前記リモコン受信部６２は、そのリモコン装置６６から送信されるリモコン信号を受信して前記ＣＰＵ４４へ供給する。また、前記カラオケ装置１６と電子早見本装置２２との対応付け（くくりつけ）処理も前記リモコン受信部６２を介して行われ、そのようにして前記カラオケ装置１６に対応付けられた電子早見本装置２２も同様に入力装置として機能する。
【００１８】
前記映像情報デコーダ３２は、利用者が歌詞を参照しながら歌を歌う際に前記ハードディスク５０に記憶された背景映像情報に基づいて所定の背景映像を再生（デコード）する背景映像再生装置である。この背景映像情報は、例えば、ＭＰＥＧ（Moving Picture Experts Group）形式のデータであり、そのＭＰＥＧデータに基づいて前記映像情報デコーダ３２により再生された背景映像は、前記ビデオミキサへ送られる。また、前記ＣＲＴコントローラ５６は、前記ＣＰＵ４４において生成された歌詞文字映像等の文字映像（テロップ）を出力する文字映像出力装置であり、前記ビデオミキサ３４は、前記ＣＰＵ４４において生成され且つ前記ＣＲＴコントローラ５６から出力される文字映像と、前記映像情報デコーダ３２により再生される背景映像とを合成して前記映像表示装置３０に表示させる映像合成装置である。
【００１９】
前記シンセサイザ６０は、前記ハードディスク５０から読み出されて送られて来るカラオケ演奏曲の演奏情報に基づいて楽器の演奏信号等の音楽信号を生成する音源である。この演奏情報は、例えば、ＭＩＤＩ（Musical Instrument Digital Interface）形式のデータであり、そのＭＩＤＩデータに基づいて前記シンセサイザ６０により生成された音楽信号は、アナログ信号に変換されて前記アンプミキサ３６へ送られる。そのアンプミキサ３６では、送られてきた音楽信号と前記マイクロフォン４０を介して入力される利用者の歌声とがミキシングされ、それらの信号が電気的に増幅されて前記スピーカ３８から出力される。
【００２０】
前記モデム５２は、前記カラオケ装置１６を公衆電話回線等による通信回線１８に接続するための装置であり、前記ＣＰＵ４４から出力されるディジタル信号をアナログ信号に変換して前記通信回線１８に送り出すと共に、その通信回線１８を介して伝送されるアナログ信号をディジタル信号に変換して前記ＣＰＵ４４に供給する処理を行う。なお、このモデム５２は、マスターコマンダとして機能するカラオケ装置１６ａには必要とされるが、前記センタ装置２０との間で情報の通信を行わない他のカラオケ装置１６には必ずしも設けられなくともよい。
【００２１】
前記ＬＡＮポート５４は、前記カラオケ装置１６をＬＡＮ２４を介して他のカラオケ装置１６や電子早見本装置２２等の他の機器に接続するための接続器であり、前記カラオケ装置１６は、そのようにＬＡＮ２４を介して接続されることで、他のカラオケ装置１６や電子早見本装置２２等の他の機器との間で情報の送受信が可能とされる。例えば、前記アクセスポイント２６により受け付けられる前記電子早見本装置２２からの選曲入力を受け付けたり、前記カラオケ装置１６から電子早見本装置２２へ所定の処理を実行させるための指令を送信したりというように、電波を介して前記カラオケ装置１６と電子早見本装置２２との間における相互の情報のやりとりが実行される。
【００２２】
前記ハードディスク５０には、カラオケ演奏曲を出力させるための多数のカラオケ情報を記憶するカラオケデータベース、背景映像を出力させるための複数の背景映像情報を記憶する背景映像データベース、曲間情報を出力させるための複数の曲間情報を記憶する曲間情報データベース等の各種データベースが設けられている。カラオケボックス等の店舗にそれぞれ備えられた複数のカラオケ装置１６のうちマスターコマンダとして機能するカラオケ装置１６ａは、前記モデム５２を介して前記通信回線１８に接続されており、前記複数のカラオケ装置１６によって常に新しい曲が演奏可能とされるように、或いは所定の背景映像や曲間情報が出力可能とされるように、随時新たなカラオケ情報、背景映像情報、曲間情報等が前記センタ装置２０から前記通信回線１８を介して配信され、前記ハードディスク５０のカラオケデータベース、背景映像データベース、曲間情報データベース等に記憶される。また、そのようにして前記センタ装置２０から情報を取得したカラオケ装置１６ａとその他のカラオケ装置１６との間で前記ＬＡＮ２４を介した通信が行われることにより、各カラオケ装置１６のハードディスク５０に記憶される情報が共有され、カラオケデータベース、背景映像データベース、曲間情報データベース等の内容が等価なものとされる。
【００２３】
図３は、前記電子早見本装置２２の外観を大まかに示す斜視図である。この図３に示すように、前記電子早見本装置２２は、所定の画像（映像）を表示させると共に、利用者の接触に応じて入力を行うためのタッチパネルディスプレイ７０を備えている。また、前記カラオケ装置１６との間でデータの送受信や同期を実行したり、前記電子早見本装置２２に内蔵されたバッテリを充電する等の動作を行うスタンド型の接続架台（ドッキングテーブル）であるクレイドル６８を備えている。前記電子早見本装置２２は、そのクレイドル６８に取り付けられた状態又はそのクレイドル６８から取り外された状態で用いられ、取り付けられた状態においては、そのクレイドル６８及びＬＡＮ２４を介して前記カラオケ装置１６に有線接続されるようになっている。また、上記クレイドル６８から取り外された状態においては、上記アクセスポイント２６及びＬＡＮ２４を介して前記カラオケ装置１６に無線接続されるようになっている。また、上記アクセスポイント２６及びＬＡＮ２４を介して他の電子早見本装置２２と相互に情報の送受信ができるように構成されている。
【００２４】
図４は、前記電子早見本装置２２の構成を説明するブロック線図である。この図４に示すように、前記電子早見本装置２２は、上記タッチパネルディスプレイ７０に所定の映像を表示させる表示装置７２と、その表示装置７２による表示を制御する表示制御部７４と、利用者の指や図示しない備え付けのペン等によるタッチパネルディスプレイ７０への接触により入力を行うタッチパネル７６と、そのタッチパネル７６による入力を制御する入力制御部７８と、中央演算処理装置であるＣＰＵ８０と、ＲＯＭ８２と、ＲＡＭ８４と、フラッシュＲＯＭ等の記憶部８６と、インターフェイス８８と、リモコン送信部９０と、無線ＬＡＮ通信部９２と、前記電子早見本装置２２の周囲の照度を検出する照度検出装置である照度計９４と、コネクタ９６とを、備えて構成されている。上記クレイドル６８には、前記電子早見本装置２２と電気的な接続を可能とするためのコネクタ９８が設けられており、前記電子早見本装置２２は、前記クレイドル６８に載置されて上記コネクタ９６及び９８が接触させられることで、上記インターフェイス８８を介して前記クレイドル６８乃至はＬＡＮ２４に接続されるようになっている。また、上記記憶部８６には、前記カラオケ装置１６のカラオケデータベースに記憶された多数のカラオケ情報それぞれに対応して曲名、アーティスト名、歌詞の歌い出し部分等の選曲案内情報を選曲番号毎に記憶する演奏曲データベース１００、後述する機能設定情報を記憶する機能設定データベース１０２等の各種データベースが設けられている。
【００２５】
上記ＣＰＵ８０は、上記ＲＡＭ８４の一時記憶機能を利用しつつ上記ＲＯＭ８２に予め記憶された所定のプログラムに基づいて電子情報を処理・制御する所謂コンピュータであり、上記記憶部８６から選曲案内情報を読み出し、上記表示装置７２を介してその選曲案内情報に基づく所定の案内映像を上記タッチパネルディスプレイ７０に表示させたり、そのタッチパネルディスプレイ７０に表示された案内映像に従って上記タッチパネル７６による入力が行われた場合、カラオケ演奏曲を予約するための選曲信号（選曲予約信号）を上記無線ＬＡＮ通信部９２等を介して前記カラオケ装置１６に送信する等の基本的な制御に加えて、後述する機能設定変更制御を実行する。また、上記照度計９４は、例えば、シリコン等から成るフォトダイオードを備え、そのフォトダイオードに流れる光電流を計ることにより周囲の照度を検出する照度検出装置であり、斯かるフォトダイオードが前記電子早見本装置２２の外部に露出して、或いは透光性のカバーを介して外部の光を感知できるように設けられている。この照度計９４により検出された周囲の照度は前記ＣＰＵ８０に供給され、後述する機能変更制御の要素として用いられる。
【００２６】
図５は、前記電子早見本装置２２のＣＰＵ８０に備えられた制御機能の要部を説明する機能ブロック線図である。この図５に示す照度判定手段１０４は、所定の閾値を基準として前記照度計９４により検出される照度のランクを段階的に判定する。具体的には、前記照度計９４により検出される照度が所定時間継続して所定の数値範囲内であった場合、周囲の照度がその数値範囲に対応して予め定められたランクであると判定する。このランクは、最も簡単には、比較的高い数値範囲に対応する第１のランクである「明るい」と、それよりも低い数値範囲に対応する第２のランクである「暗い」との２段階であり、それらの数値範囲には若干重なり合う部分があっても構わない。また、以下に詳述する機能変更制御手段１０６において３種類以上の機能設定が求められる場合には、「明るい」、「普通」、及び「暗い」というように３段階以上のランク付けを行う態様も考えられる。
【００２７】
機能変更設定手段１０６は、前記照度計９４により検出される照度に応じて前記電子早見本装置２２の機能を変更する。好適には、上記照度判定手段１０４により判定される照度のランクに応じて前記電子早見本装置２２の機能を変更する。例えば、前記照度判定手段１０４により照度が予め定められた第１のランクである「明るい」と判定される場合には、前記電子早見本装置２２の機能を店舗側設定とし、その照度が予め定められた第２のランクである「暗い」と判定される場合には、前記電子早見本装置２２の機能を利用者側設定とする。ここで、店舗側設定とは、例えば、前記カラオケ装置１６への選曲入力機能をはじめとするカラオケ演奏に関する機能に加えて、利用者は用いず店員のみが用いる環境設定機能及びメンテナンス機能等の管理用諸機能を実行可能とする設定であり、利用者側設定とは、前記カラオケ装置１６への選曲入力機能をはじめとするカラオケ演奏に関する機能は実行可能として、上記管理用諸機能は実行不能とする設定である。一般にカウンタ等の店員側の使用環境は照度が高く、前記個室１４等の利用者側の使用環境は照度が低いため、斯かる照度の開きを利用して使用状況に合った機能を適宜設定できる。
【００２８】
或いは、上記機能変更設定手段１０６は、上記照度判定手段１０４により照度が予め定められた第１のランクである「明るい」と判定される場合には、前記電子早見本装置２２の機能を昼間用設定とし、その照度が予め定められた第２のランクである「暗い」と判定される場合には、前記電子早見本装置２２の機能を夜間用設定とする。ここで、夜間用設定とは、例えば、前記カラオケ装置１６への選曲入力機能をはじめとするカラオケ演奏に関する機能に加えて、成人向けコンテンツを含むナイト機能を実行可能とする設定であり、昼間用設定とは、前記カラオケ装置１６への選曲入力機能をはじめとするカラオケ演奏に関する機能は実行可能として、上記ナイト機能は実行不能とする設定である。ファミリー向け等の一般的な設定とすべき昼間は窓からの入射光等もあり照度が高く、成人向けコンテンツを含むナイト設定とすべき夜間では照度が低いため、斯かる照度の開きを利用して使用状況に適合する機能を適宜設定できる。なお、前記機能設定データベース１０２は、上述のような上記照度判定手段１０４により判定される照度のランクと前記電子早見本装置２２の機能設定とを関連付けて記憶するものであり、上記機能変更制御手段１０６は、好適には、上記照度判定手段１０４により判定される照度のランクに応じ、前記機能設定データベース１０２に記憶された機能設定を読み出して前記電子早見本装置２２の機能を変更する。
【００２９】
機能設定送信手段１０８は、前記機能設定データベース１０２に記憶された機能設定情報すなわち前記照度判定手段１０４により判定される照度のランクと前記電子早見本装置２２の機能設定との関係に相当する情報を、前記ＬＡＮ２４等を介して他の電子早見本装置２２に送信する。これにより、各電子早見本装置２２の機能設定データベース１０２に記憶される情報が共有され、その内容が等価なものとされる。前記照度判定手段１０４により判定される照度のランクと前記電子早見本装置２２の機能設定とを関連付けて前記機能設定データベース１０２に記憶するためには、予め前記電子早見本装置２２を各使用環境に配設してそれぞれの照度を前記照度計９４により検出して記憶させる作業を行う必要があるが、上記等価処理を実行する態様であれば所定の電子早見本装置２２において斯かる作業を行えば足り、各電子早見本装置２２において逐一作業を行う煩雑さを解消できる。
【００３０】
図６は、前記電子早見本装置２２のＣＰＵ８０による機能設定変更制御について説明するフローチャートであり、所定の周期で繰り返し実行されるものである。
【００３１】
先ず、ステップ（以下、ステップを省略する）Ｓ１において、前記照度計９４により周囲の照度が検出される。次に、Ｓ２において、Ｓ１にて検出される照度が所定時間継続して所定の数値範囲内であったか否かが判断される。このＳ２の判断が否定される場合には、Ｓ２の判断が繰り返されることにより待機させられるが、Ｓ２の判断が肯定される場合には、Ｓ３において、Ｓ２にて判定された数値範囲に対応する照度のレベルに対応する機能設定が前記機能設定データベース１０２において照会される。次に、Ｓ４において、Ｓ３にて照会された機能設定がその時点における機能設定と同一であるか否かが判断される。このＳ４の判断が肯定される場合には、Ｓ６以下の処理が実行されるが、Ｓ４の判断が否定される場合には、前記機能変更制御手段１０６の動作に対応するＳ５において、Ｓ３にて照会された機能設定が前記機能設定データベース１０２から読み出され、前記前記電子早見本装置２２の機能設定がその読み出された機能設定に変更された後、Ｓ６において、他の電子早見本装置２２から機能設定情報の送信指令が受信されたか否かが判断される。このＳ６の判断が否定される場合には、それをもって本ルーチンが終了させられるが、Ｓ６の判断が肯定される場合には、前記機能設定送信手段１０８の動作に対応するＳ７において、前記機能設定データベース１０２に記憶された機能設定情報が読み出され、前記ＬＡＮ２４等を介して対象となる電子早見本装置２２すなわち指令の送信主体である電子早見本装置２２に送信された後、本ルーチンが終了させられる。以上の制御において、Ｓ２及びＳ３が前記照度判定手段１０４の動作に対応する。
【００３２】
このように、本実施例によれば、周囲の照度を検出する照度計９４と、その照度計９４により検出される照度に応じて前記電子早見本装置２２の機能を変更する機能変更制御手段１０６（Ｓ５）とを、有することから、カウンタ等の店員側の使用環境とボックス（個室）等の利用者側の使用環境との間に照度の開きがあること等の環境的差異を利用して、前記電子早見本装置２２の機能変更制御を好適に実行することができる。すなわち、使用状況に応じて好適に機能変更制御を実行する電子早見本装置２２を提供することができる。
【００３３】
また、所定の閾値を基準として前記照度計９４により検出される照度のランクを段階的に判定する照度判定手段１０４（Ｓ２及びＳ３）を有し、前記機能変更制御手段１０６は、その照度判定手段１０４により判定される照度のランクに応じて前記電子早見本装置２２の機能を変更するものであるため、実用的な態様で前記電子早見本装置２２の機能変更制御を実行することができるという利点がある。
【００３４】
また、前記照度判定手段１０４により判定される照度のランクと前記電子早見本装置２２の機能設定とを関連付けて記憶する記憶部８６を有し、前記機能変更制御手段１０６は、前記照度判定手段１０４により判定される照度のランクに応じ、その記憶部８６に記憶された機能設定を読み出して前記電子早見本装置２２の機能を変更するものであるため、更に実用的な態様で前記電子早見本装置２２の機能変更制御を実行することができるという利点がある。
【００３５】
また、前記機能変更制御手段１０６は、前記照度判定手段１０４により照度が予め定められた第１のランクと判定される場合には、前記電子早見本装置２２の機能を店舗側設定とし、その照度が予め定められた第２のランクと判定される場合には、前記電子早見本装置２２の機能を利用者側設定とするものであるため、カウンタ等の店員側の使用環境とボックス等の利用者側の使用環境との間に照度の開きがあることを利用して、使用状況に合った機能を適宜設定できるという利点がある。
【００３６】
また、前記機能変更制御手段１０６は、前記照度判定手段１０４により照度が予め定められた第１のランクと判定される場合には、前記電子早見本装置２２の機能を昼間用設定とし、その照度が予め定められた第２のランクと判定される場合には、前記電子早見本装置２２の機能を夜間用設定とするものであるため、ファミリー向け等の一般的な設定とすべき昼間と成人向けコンテンツを含むナイト設定とすべき夜間とで周囲の照度が異なることを利用して、使用状況に適合する機能を適宜設定できるという利点がある。
【００３７】
以上、本発明の好適な実施例を図面に基づいて詳細に説明したが、本発明はこれに限定されるものではなく、更に別の態様においても実施される。
【００３８】
例えば、前述の実施例において、前記照度判定手段１０４は、前記電子早見本装置２２のＣＰＵ８０に機能的に備えられたものであったが、本発明はこれに限定されるものではなく、例えば、前記照度判定手段１０４の機能が前記照度計９４に設けられ、その照度計９４から前述した照度のランクを示す信号が前記電子早見本装置２２のＣＰＵ８０に直接供給されるものであっても構わない。
【００３９】
また、前述の実施例において、前記照度計９４は、フォトダイオードを用いてそのフォトダイオードに流れる光電流を検出するものであったが、周囲の照度を検出できるものであればよく、例えば、太陽電池パネル等を照度検出装置として用いても構わない。
【００４０】
また、前述の実施例において、前記機能設定データベース１０２は、前記電子早見本装置２２の記憶部８６に設けられたものであったが、例えば、前記カラオケ装置１６のハードディスク５０に設けられたものであってもよい。この態様において、前記機能変更制御手段１０６は、前記照度判定手段１０４により判定される照度のランクに応じ、前記カラオケ装置１６のハードディスク５０に記憶された機能設定を前記ＬＡＮ２４等を介して読み出して前記電子早見本装置２２の機能を変更する。
【００４１】
その他、一々例示はしないが、本発明はその趣旨を逸脱しない範囲内において種々の変更が加えられて実施されるものである。
【図面の簡単な説明】
【００４２】
【図１】本発明が好適に適用されるカラオケシステムを説明する概略図である。
【図２】図１のカラオケシステムに備えられたカラオケ装置の構成を例示するブロック線図である。
【図３】本発明の一実施例である電子早見本装置の外観を大まかに示す斜視図である。
【図４】図３の電子早見本装置の構成を説明するブロック線図である。
【図５】図４の電子早見本装置のＣＰＵに備えられた制御機能の要部を説明する機能ブロック線図である。
【図６】図４の電子早見本装置のＣＰＵによる機能設定変更制御について説明するフローチャートである。
【符号の説明】
【００４３】
１６：カラオケ装置
２２：電子早見本装置
７０：タッチパネルディスプレイ
８６：記憶部（記憶装置）
９４：照度計（照度検出装置）
１０４：照度判定手段
１０６：機能変更制御手段
【図１】
2006251705.tif 000003
【図２】
2006251705.tif 000004
【図３】
2006251705.tif 000005
【図４】
2006251705.tif 000006
【図５】
2006251705.tif 000007
【図６】
2006251705.tif 000008